(57)【要約】【課題】原稿台に載置された原稿の原稿サイズを正しく判定する手段を提供する。【解決手段】画像読取装置が、原稿台に載置された原稿の主走査端の位置を検出する主走査端検出部と、前記原稿の副走査方向の長さに基づく候補サイズを抽出する副走査端候補抽出部と、を備え、前記主走査端検出部の検出が副走査方向で変化した場合は、前記主走査端検出部で検出した主走査端の位置を基に、前記副走査端候補抽出部で抽出した候補サイズを絞込み、前記原稿台に載置された原稿の原稿サイズを判定する。【選択図】        図７
2019041144.tif 000002
【特許請求の範囲】
【請求項１】
原稿台に載置された原稿の主走査端の位置を検出する主走査端検出部と、
前記原稿の副走査方向の長さに基づく候補サイズを抽出する副走査端候補抽出部と、を備え、
前記主走査端検出部の検出が副走査方向で変化した場合は、前記主走査端検出部で検出した主走査端の位置を基に、前記副走査端候補抽出部で抽出した候補サイズを絞込み、前記原稿台に載置された原稿の原稿サイズを判定することを特徴とする画像読取装置。
【請求項２】
請求項１に記載の画像読取装置において、
前記副走査方向で変化した主走査端の傾斜角を算出する角度算出部と、
前記主走査端検出部で検出した主走査端の位置と、前記角度算出部で算出した傾斜角から、前記原稿の耳折れ幅を算出する耳折れ幅算出部と、を設け、
前記耳折れ幅算出部で算出した耳折れ幅に基づいて、前記副走査端候補抽出部で抽出した候補サイズを絞込み、前記原稿台に載置された原稿の原稿サイズを判定することを特徴とする画像読取装置。
【請求項３】
請求項２に記載の画像読取装置において、
表示部と、
前記耳折れ幅算出部で算出した耳折れ幅を比較して、複数の候補サイズに優先度を付与する優先度付与部と、を設け、
前記絞込んだ候補サイズが複数の場合であって、前記表示部に前記複数の候補サイズを表示するときは、前記優先度付与部で付与した優先度の高い順に表示することを特徴とする画像読取装置。
【発明の詳細な説明】
【技術分野】
【０００１】
本発明は、原稿の画像を読取るスキャナ装置等の画像読取装置に関する。
【背景技術】
【０００２】
従来の画像読取装置は、画像読取センサで検出した検出エリアにおける主走査方向の原稿端までの長さと、原稿サイズ検知センサで検知した副走査方向の長さとの組合せで、原稿サイズを自動判定している（例えば、特許文献１参照。）。
【先行技術文献】
【特許文献】
【０００３】
【特許文献１】特開２０１７−３４３８２号公報（段落００４６−００４８、第７図）
【発明の概要】
【発明が解決しようとする課題】
【０００４】
しかしながら、従来の技術においては、原稿が耳折れしている場合、検出エリアで検出された耳折れ部の斜め線を画像読取センサが原稿端として検出してしまい、原稿サイズを正しく判定できない場合があるという問題がある。
本発明は、上記の問題点を解決するためになされたもので、原稿台に載置された原稿の原稿サイズを正しく判定する手段を提供することを目的とする。
【課題を解決するための手段】
【０００５】
本発明は、上記課題を解決するために、画像読取装置が、原稿台に載置された原稿の主走査端の位置を検出する主走査端検出部と、前記原稿の副走査方向の長さに基づく候補サイズを抽出する副走査端候補抽出部と、を備え、前記主走査端検出部の検出が副走査方向で変化した場合は、前記主走査端検出部で検出した主走査端の位置を基に、前記副走査端候補抽出部で抽出した候補サイズを絞込み、前記原稿台に載置された原稿の原稿サイズを判定することを特徴とする。
【発明の効果】
【０００６】
これにより、本発明は、耳折れが存在する場合であっても、原稿台に載置された原稿サイズを正しく判定することができるという効果が得られる。
【図面の簡単な説明】
【０００７】
【図１】実施例の複合機の外観を示す説明図
【図２】実施例のスキャナ装置を示すブロック図
【図３】実施例のスキャナ装置の概略構成を示す説明図
【図４】実施例の画像読取センサの外観を示す説明図
【図５】実施例の原稿台を示す説明図
【図６】実施例の原稿サイズ判定テーブルの構成例を示す説明図
【図７】実施例の原稿サイズ判定処理を示すフローチャート
【図８】実施例の原稿サイズの判定例を示す説明図
【図９】実施例の原稿サイズの判定例を示す説明図
【図１０】図９の耳折れ部を示す拡大図
【図１１】実施例の候補サイズ選択画面の表示例を示す説明図
【発明を実施するための形態】
【０００８】
以下に、図面を参照して本発明による画像読取装置の実施例について説明する。
【実施例】
【０００９】
以下に、図１ないし図１１を用いて本実施例のスキャナ装置について説明する。
【００１０】
ＭＦＰ（Ｍｕｌｔｉ  Ｆｕｎｃｔｉｏｎ  Ｐｒｉｎｔｅｒ）等の、画像形成装置としての複合機１は、コピーを行う原稿Ｇから読取った画像データを、自動判定した原稿サイズに基づいて印刷用の媒体としての用紙に印刷する機能等を有しており、図１に示す構成を備えている。
【００１１】
複合機１は、画像の読取を行う、画像読取装置としてのスキャナ装置２と、印刷部３から構成される。
印刷部３は、スキャナ装置２で読取った画像データや外部装置から受信した印刷ジョブを印刷データに変換し、その印刷データを用紙に印刷して外部へ排出する機能等を有している。
スキャナ装置２は、図２、図３に示すように、制御部５、記憶部６、操作部７、画像読取部８等から構成される。
【００１２】
スキャナ装置２の制御部５は、ＣＰＵ（Ｃｅｎｔｒａｌ  Ｐｒｏｃｅｓｓｉｎｇ  Ｕｎｉｔ）等の制御手段を備えており、スキャナ装置２内の各部を制御して、画像読取処理や原稿サイズ判定処理等を実行する機能等を有している。
記憶部６は、制御部５が実行する各種のプログラムを格納するＲＯＭ（Ｒｅａｄ  Ｏｎｌｙ  Ｍｅｍｏｒｙ）や、実行するプログラムで用いる各種のデータ、画像データの一時保存および制御部５による処理結果等が格納されるＲＡＭ（Ｒａｎｄｏｍ  Ａｃｃｅｓｓ Ｍｅｍｏｒｙ）等の記憶手段を備えている。
【００１３】
操作部７は、利用者が複合機１への電源の投入や、印刷動作等の指示を行うための各種の指示ボタン、複合機１の装置状態を利用者に報知するための複数の表示ランプ等を有しており、指示ボタン等により利用者からの指示入力等を受付ける機能を有している。
表示部７ａは、操作部７に設けられ、液晶ディスプレイや、ＬＥＤ（Ｌｉｇｈｔ  Ｅｍｉｔｔｉｎｇ  Ｄｉｏｄｅ）等の表示画面とタッチパネル等の入力手段等を備えており、表示画面に各種の選択画面や、利用者への情報、操作方法等を表示する機能を有すると共に、入力手段により利用者による選択入力等を受付ける機能を有している。
【００１４】
画像読取部８は、図３に示すように、原稿セット部９にセットされた原稿Ｇを自動で読取る自動読取部８ａと、原稿台１１にセットされた原稿Ｇを読取る原稿台読取部８ｂとで構成され、原稿Ｇの自動給紙や原稿画像の読取等を行う機能を有している。
自動読取部８ａは、図３の奥側に設けられたヒンジ１２によって（図１参照）、手前側が開口するよう回動可能に構成され、原稿セット部９、開閉センサ１３、給紙ローラ１４、搬送ローラ１５、原稿押圧部１６、原稿検出センサ１７、読取位置センサ１８、搬送モータ１９、排紙ローラ２１、原稿排紙部２２等で構成される。
【００１５】
原稿セット部９は、自動読取により読取る、一または複数の原稿Ｇをセットする部位である。
開閉センサ１３は、自動読取部８ａの開口部側に設けられた、原稿台１１の開閉を検出する機械式または光学式のセンサであって、自動読取部８ａが開放されたときは開信号を制御部５へ送出し、閉鎖されたときは閉信号を制御部５へ送出する。
【００１６】
給紙ローラ１４は、ステッピングモータ等の搬送モータ１９から図示しないギア列を介して伝達された駆動力によって回転し、原稿セット部９上の原稿Ｇを１枚ずつ繰出して搬送ローラ１５へ搬送する。
搬送ローラ１５は、搬送モータ１９から図示しないギア列を介して伝達された駆動力によって回転し、給紙ローラ１４から搬送された原稿Ｇを、原稿読取位置に設けられた原稿押圧部１６の方向へ搬送する。
【００１７】
原稿押圧部１６は、比較的弱いバネ剛性を有するバネ部材１６ａによってコンタクトガラス１６ｂの方向に付勢されており、搬送ローラ１５から搬送されてきた原稿Ｇをコンタクトガラス１６ｂに押付ける機能を有している。
原稿検出センサ１７は、原稿セット部９上の原稿Ｇの有無を検出する。
【００１８】
読取位置センサ１８、搬送ローラ１５により搬送されてきた原稿Ｇの先端が原稿読取位置に近接したことを検出する。
排紙ローラ２１は、搬送モータ１９から図示しないギア列を介して伝達された駆動力によって回転し、原稿読取位置で画像データが読取られた原稿Ｇを、自動読取部８ａの外部である原稿排紙部２２へ排紙する。
【００１９】
原稿台読取部８ｂは、画像読取センサ２４、原稿台１１に設けられた原稿台ガラス２５、センサベルト２６、ベルトモータ２７、原位置センサ２８、白色基準板２９、第１副走査センサ３１、第２副走査センサ３２、原稿押圧板３３、白色シート３４等で構成される。
画像読取センサ２４は、自動読取時に搬送された原稿Ｇ、または原稿台１１に載置された原稿Ｇに光を当て、その反射光により原稿画像を読取るセンサであって、センサベルト２６によって、原位置センサ２８が設けられた原位置から、原稿台ガラス２５の反対側の端部まで、原稿台ガラス２５に沿って副走査方向（図５参照）に往復移動し、読取動作を行うときに原位置から副走査方向に移動する。
【００２０】
なお、画像読取センサ２４は、原稿Ｇの自動読取を行う場合、原稿読取位置に停止した状態で搬送されていく原稿Ｇの原稿画像を読取るよう構成されている。
センサベルト２６は、ステッピングモータ等のベルトモータ２７により駆動される駆動プーリ２６ａと従動プーリ２６ｂとの間に掛渡された無端ベルトであって、センサベルト２６に固定された画像読取センサ２４を、副走査方向に往復移動させる。
【００２１】
本実施例の画像読取センサ２４は、ＣＩＳ（Ｃｏｎｔａｃｔ  Ｉｍａｇｅ  Ｓｅｎｓｏｒ）等の密着型のラインイメージセンサであって、図４に示すように、光源３６、ロッドレンズ３７、ロッドレンズ３７で集めた光を光電変換して画像に応じた電圧を出力する受光部等で構成され、原稿台ガラス２５上に載置された原稿Ｇの読取ライン２４ａ（図５に示す太い破線参照）上の原稿画像をライン状に連続して読取り、これをアナログ信号電圧として制御部５へ出力する。
【００２２】
光源３６は、ロッドレンズ３７の主走査方向に沿った片側に配置され、主走査方向の一端に設けられた、赤色の光を発するＬＥＤからなる赤色発光部３８ｒ、緑色の光を発するＬＥＤからなる緑色発光部３８ｇ、青色の光を発するＬＥＤからなる青色発光部３８ｂと、これら３色の光を原稿Ｇに向けて照射するための導光体３９で構成され、これら３つの発光部３８は、独立に点灯させることが可能である。
【００２３】
ロッドレンズ３７は、原稿台ガラス２５の主走査方向に沿って配置され、原稿台ガラス２５の主走査方向の長さ以上の長さを有するレンズ体であって、光源３６から原稿台ガラス２５上の原稿Ｇに照射され、原稿面で反射した光を等倍光学方式で受光部に等倍で結像させる機能を有している。
【００２４】
このような画像読取センサ２４でカラー画像の読取を行う場合は、点灯する各色の発光部３８を順次に変えながら１ラインずつの読取を行い、これにより得られた各色の信号電圧を合わせてカラー画像の信号電圧データとする。
【００２５】
また、モノクロ画像の読取を行う場合は、いずれか１色の発光部３８を点灯させて、または３色の発光部３８を同時に点灯させて１ラインずつの読取を行い、これにより得られた信号電圧をモノクロ画像の信号電圧データとする。
原稿台１１には、図５に示すように、透明な原稿台ガラス２５の奥側の長辺の原位置側の角が、原稿Ｇの一隅を突当てる載置基準４１として設定されている。
【００２６】
また原稿台１１には、原稿台ガラス２５の短辺に沿って、載置基準４１を起点として各原稿サイズの縦置き、横置きにおける主走査方向の原稿端（主走査端という。）に相当する位置に、それぞれの原稿Ｇの用紙サイズの名称を付した縦目盛４２が設けられると共に、長辺に沿って、載置基準４１を起点として各原稿サイズの縦置き、横置きにおける副走査方向の原稿端（副走査端という。）に相当する位置に、それぞれの原稿Ｇの用紙サイズの名称を付した横目盛４３が設けられている。
【００２７】
本実施例の原稿台ガラス２５は、最大サイズの原稿Ｇとして用紙サイズＡ３の原稿Ｇが横置きで載置可能な大きさになっている。
また、原稿台ガラス２５の原位置側の端部には、主走査方向に沿って初期読取領域が設定され、この初期読取領域における画像の読取は、全体画像の読取前に行われ、原稿Ｇの主走査端の形状を検出するために用いられる。
【００２８】
なお、縦目盛４２および横目盛４３の用紙サイズの末尾に付した「Ｒ」は載置状態が横置きの場合の各サイズの原稿端の位置を示し、「Ｒ」が付されていない用紙サイズは、載置状態が縦置きの場合の各サイズの原稿端の位置を示している。
【００２９】
図３において、原位置センサ２８は、画像読取センサ２４が原位置に移動したことを検出するセンサである。
【００３０】
白色基準板２９は、画像読取センサ２４の受光部の感度やロッドレンズ３７による出力バラツキを平滑化するためのシェーディング補正処理時に、基準とする受光部の出力を取得する際に読取られ、コンタクトガラス１６ｂ、原稿台ガラス２５の原稿読取範囲外に配置される。
第１副走査センサ３１、第２副走査センサ３２は、それぞれ光学式の反射型センサであって、それぞれの上方に原稿Ｇが存在しているか否かを検出する。
【００３１】
本実施例の第１副走査センサ３１は、図５に示すように、縦置きのＡ４サイズの副走査端の外側であって、横置きのＢ５サイズの載置基準４１の対角の内側に配置され、第２副走査センサ３２は、横置きのＡ４サイズの副走査端の外側であって、横置きのＢ４サイズの載置基準４１の対角の内側に配置される。
【００３２】
原稿押圧板３３は、原稿排紙部２２の底板と兼用されており、その裏面には、原稿Ｇとの段差により形成される陰によって原稿Ｇの輪郭を検出するための白色シート３４が貼付されている。
【００３３】
図２において、画像処理部４５は、画像読取センサ２４から出力されたライン状データからなる電圧信号を基に、アナログ画像データを生成する機能を有するソフトウェアと制御部５により形成された機能手段である。
【００３４】
主走査端検出部４６は、画像処理部４５で生成された初期読取領域の画像データを基に、原稿Ｇと白色シート３４との段差に基づく陰によって、主走査端の形状の座標位置を検出する機能を有するソフトウェアと制御部５により形成された機能手段である。
副走査端候補抽出部４７は、第１副走査センサ３１と第２副走査センサ３２の検出結果の組合せによって原稿Ｇの副走査方向の長さに基づく原稿Ｇの候補サイズを抽出する機能を有するソフトウェアと制御部５により形成された機能手段である。
【００３５】
原稿サイズ鑑別部４８は、主走査端検出部４６で検出された主走査端の座標位置を基に、副走査端候補抽出部４７で抽出された複数の候補サイズが、原稿台１１の原稿台ガラス２５上に載置された原稿Ｇの候補サイズとなり得るか否かを鑑別して、原稿サイズになり得る候補サイズを絞込む機能を有するソフトウェアと制御部５により形成された機能手段である。
【００３６】
角度算出部４９は、主走査端検出部４６で検出された主走査端が傾斜していた場合に、その傾斜角θを算出する機能を有するソフトウェアと制御部５により形成された機能手段である。
耳折れ幅算出部５１は、角度算出部４９で算出された傾斜角θと原稿サイズのサイズ規格値Ｐから原稿Ｇの耳折れ幅Ｂを算出する機能を有するソフトウェアと制御部５により形成された機能手段である。
【００３７】
優先度付与部５２は、耳折れ幅算出部５１で算出された各候補サイズの耳折れ幅Ｂを比較し、その比較結果を基に、各候補サイズに優先度を付与する機能を有するソフトウェアと制御部５により形成された機能手段である。
【００３８】
上記のスキャナ装置２の記憶部６には、コピーやファックス、スキャンデータの作成に用いる原稿Ｇの画像を画像読取センサ２４で読取って、その画像の画像データを生成し、生成した画像データを印刷部３へ送出する機能を有する通常の画像読取処理プログラムに、画像読取センサ２４による原稿Ｇの初期読取領域の画像データを基に、当該原稿Ｇに耳折れが生じているか否かを判定し、耳折れが生じていた場合に耳折れ部の形態の算出結果を基に原稿サイズを判定する原稿サイズ判定処理を行う機能を有するアプリケーションプログラムが追加された業務処理プログラムが予め格納されており、制御部５が実行する業務処理プログラムのステップにより本実施例のスキャナ装置２の各機能手段が形成される。
【００３９】
また、記憶部６には、原稿サイズのサイズと載置状態別に、それぞれの主走査端の主走査方向の位置（主走査端位置という。）の範囲、第１副走査センサ３１と第２副走査センサ３２の検出結果の組合せ、および原稿Ｇの用紙サイズのサイズ規格値Ｐを記録した、図６に示す原稿サイズ判定テーブルが予め設定されて格納されている。
【００４０】
更に、記憶部６には、耳折れ幅Ｂの大小によって、副走査端候補抽出部４７で抽出された複数の候補サイズが、原稿Ｇの候補サイズとなり得るか否かを鑑別するときの、耳折れ幅Ｂの当該候補サイズのサイズ規格値Ｐに対する割合である所定の鑑別閾値（本実施例では５０％）が予め設定されて格納されている。
本実施例では、主走査方向および副走査方向の耳折れ幅Ｂのそれぞれの方向のサイズ規格値Ｐに対する割合が、いずれかの方向で所定の鑑別閾値以上である場合に、原稿サイズの候補サイズから除外される。
【００４１】
以下に、図７のフローチャートにＳで示すステップに従って本実施例のスキャナ装置２による原稿サイズ判定処理の処理動作について説明する。
利用者が、操作部７の電源スイッチにより複合機１へ電源を投入すると、スキャナ装置２の記憶部６に格納されている業務処理プログラムが自動的に起動される。
利用者は、複合機１の起動後に、原稿Ｇを原稿台ガラス２５上にセットするために、自動読取部８ａの開口端を持上げて開方向に回動させる。
【００４２】
Ｓ１：複合機１の起動後に、スキャナ装置２の制御部５は、原稿台１１の開閉を検出する開閉センサ１３からの出力信号が閉信号から開信号に変化するのを待って待機し、開閉センサ１３からの出力信号が開信号に変化したときに、原稿台１１の開放を認識してステップＳ２へ移行する。閉信号が出力されている場合は、前記の待機を継続する。
【００４３】
Ｓ２：原稿台１１の開放を認識した制御部５は、画像読取センサ２４の読取ライン２４ａを初期読取領域の原位置と反対側の側辺まで移動させ（図８参照）、原稿台１１の閉鎖を待って待機する。
利用者は、原稿Ｇの一隅を原稿台１１の載置基準４１に突当て、原稿面を原稿台ガラス２５に接触させて原稿台ガラス２５上に載置し、自動読取部８ａを閉方向に回動させる。
【００４４】
Ｓ３：原稿台１１の閉鎖を待って待機していた制御部５は、開閉センサ１３からの出力信号が開信号から閉信号に変化したときに、画像読取センサ２４を原位置の方向に移動させながら初期読取領域の原稿画像を読取り、原稿画像の読取後に画像読取センサ２４を原位置に復帰させる。
【００４５】
Ｓ４：主走査方向の原稿画像を読取った制御部５は、副走査端候補抽出部４７によって、第１副走査センサ３１および第２副走査センサ３２による検出結果の組合せを基に、記憶部６の原稿サイズ判定テーブルを検索し、原稿Ｇの副走査方向の長さに基づく候補サイズを抽出する。
【００４６】
Ｓ５：原稿Ｇの副走査方向の長さに基づく候補サイズを抽出した制御部５は、主走査端検出部４６によって、画像処理部４５で生成された初期読取領域の画像データを基に、主走査端の座標位置（図８、図９参照）を検出してステップＳ６へ移行する。
この場合に主走査端検出部４６は、載置基準４１を原点とし、副走査方向をＸ方向、主走査方向をＹ方向として、初期読取領域の原位置側の側辺上を（Ｘ１，Ｙ１）、初期読取領域の反対側の側辺上を（Ｘ２，Ｙ２）として座標位置を検出する。
【００４７】
Ｓ６：主走査端の座標位置を検出した制御部５は、座標Ｙ１と座標Ｙ２を比較して主走査端が傾斜しているか否かを判定し、主走査端が副走査方向と平行に伸張している図８の場合、つまりＹ１とＹ２の差が所定の範囲（例えば、０．５ｍｍの範囲）以内にある場合は、主走査端が傾斜していないと判定してステップＳ７へ移行する。
主走査端が副走査方向で変化している場合、つまり主走査端が傾斜している図９の場合、つまりＹ１とＹ２の差が所定の範囲を超えている場合は、耳折れが存在すると判定してステップＳ８へ移行する。
【００４８】
Ｓ７：主走査端が傾斜していないと判定した制御部５は、原稿サイズ鑑別部４８によって１つに絞込まれた候補サイズを載置された原稿Ｇの原稿サイズと判定して今回の原稿サイズ判定処理を終了させ、ステップＳ１へ戻って開閉センサ１３からの出力信号が開信号に変化するのを待って待機する。
【００４９】
図８の場合、副走査端候補抽出部４７は、上記ステップＳ４において、第１副走査センサ３１の検出結果が「原稿有り」、第２副走査センサ３２の検出結果が「原稿なし」であるので、原稿サイズ判定テーブルを参照して「Ａ４横置き」「Ｂ５横置き」を候補サイズとして抽出する。
【００５０】
副走査端候補抽出部４７により候補サイズが抽出されると、原稿サイズ鑑別部４８は、主走査端の座標位置が（Ｘ１，Ｙ１）＝（５．９，１８２）、（Ｘ２，Ｙ２）＝（２９，１８２）であるので、原稿Ｇの主走査端位置は１８２ｍｍであると認識し、認識した主走査端位置を基に原稿サイズ判定テーブルの主走査端位置の範囲を参照し、主走査端位置が範囲内に存在しない「Ａ４横置き」を候補サイズから除外し、範囲内に存在する「Ｂ５横置き」を候補サイズと鑑別する。
このようにして、副走査端候補抽出部４７によって抽出された２つの候補サイズが１つに絞込まれる。
【００５１】
Ｓ８：主走査端が傾斜していることにより耳折れの存在を判定した制御部５は、原稿サイズ鑑別部４８により耳折れが存在する場合における原稿Ｇの候補サイズを鑑別してステップＳ９へ移行する。
【００５２】
図９の場合、副走査端候補抽出部４７は、上記ステップＳ４において、第１副走査センサ３１の検出結果が「原稿なし」、第２副走査センサ３２の検出結果が「原稿なし」であるので、原稿サイズ判定テーブルを参照して「Ａ６横置き」「Ａ５横置き」「Ａ５縦置き」「Ａ４縦置き」「Ｂ５縦置き」の５つを候補サイズとして抽出する。
【００５３】
副走査端候補抽出部４７により候補サイズが抽出されると、原稿サイズ鑑別部４８は、主走査端の座標位置は、（Ｘ１，Ｙ１）＝（５．９，１７１．６）、（Ｘ２，Ｙ２）＝（２９，１９８）であるので、原稿Ｇの主走査端位置は１９８ｍｍ以上であると認識し、これを基に原稿サイズ判定テーブルの主走査端位置の範囲を参照して、主走査端位置の範囲が１９８ｍｍ未満である「Ａ６横置き」「Ａ５横置き」を候補サイズから除外し、主走査端位置が１９８ｍｍ以上を満足する「Ａ５縦置き」「Ｂ５縦置き」「Ａ４縦置き」の３つを原稿Ｇの候補サイズと鑑別する。
このようにして、副走査端候補抽出部４７によって抽出された５つの候補サイズが３つに絞込まれる。
【００５４】
Ｓ９：原稿サイズ鑑別部４８によって、原稿Ｇの候補サイズを絞込んだ制御部５は、絞込んだ候補サイズが１つの場合はステップＳ１０へ移行する。絞込んだ候補サイズが複数の場合はステップＳ１１へ移行する。
【００５５】
Ｓ１０：絞込んだ候補サイズが１つと認識した制御部５は、原稿サイズ鑑別部４８により１つに絞込んだ候補サイズを原稿サイズと判定して今回の原稿サイズ判定処理を終了させ、ステップＳ１へ戻って開閉センサ１３からの出力信号が開信号に変化するのを待って待機する。
【００５６】
Ｓ１１：絞込んだ候補サイズが複数と認識した制御部５は、角度算出部４９により図１０に示す耳折れ部の傾斜角θを算出してステップＳ１２へ移行する。
【００５７】
この場合の傾斜角θは、
θ＝ｔａｎ−１（Ｘ２−Ｘ１）／（Ｙ２−Ｙ１）  ・・・・・・・（１）
を用いて算出される。
図１０の場合、角度算出部４９は、主走査端の座標位置は、（Ｘ１，Ｙ１）＝（５．９，１７１．６）、（Ｘ２，Ｙ２）＝（２９，１９８）であるので、傾斜角θを４１．２度と算出する。
【００５８】
Ｓ１２：耳折れ部の傾斜角θを算出した制御部５は、耳折れ幅算出部５１により、ステップＳ８で絞込んだ候補サイズと、ステップＳ１１で算出した傾斜角θを基に、原稿サイズ判定テーブルの当該用紙サイズのサイズ規格値Ｐを読出して図１０に示す耳折れ幅Ｂを算出しステップＳ１３へ移行する。
【００５９】
この場合の副走査方向の耳折れ幅Ｂｘ、主走査方向の耳折れ幅Ｂｙは、当該用紙サイズの副走査方向のサイズ規格値をＰｘ、主走査方向のサイズ規格値をＰｙとすると、
Ｂｙ＝Ｘ２／ｔａｎθ＋（Ｐｙ−Ｙ２）  ・・・・・・・・・・（２）
Ｂｘ＝Ｂｙ×ｔａｎθ  ・・・・・・・・・・・・・・・・・・（３）
を用いて算出される。
【００６０】
ステップＳ８で抽出した候補サイズの場合、（Ｘ２，Ｙ２）＝（２９，１９８）、θ＝４１．２度であるので、耳折れ幅算出部５１は、「Ａ５縦置き」のサイズ規格値Ｐｙ＝２１０ｍｍを原稿サイズ判定テーブルから読出して、耳折れ幅Ｂｙ＝４５．１ｍｍ、Ｂｘ＝３９．５ｍｍを算出する。
【００６１】
「Ｂ５縦置き」の場合は、サイズ規格値Ｐｙ＝２５７ｍｍを読出して、耳折れ幅Ｂｙ＝９２．１ｍｍ、Ｂｘ＝８０．６ｍｍを算出する。
「Ａ４縦置き」の場合は、サイズ規格値Ｐｙ＝２９７ｍｍを読出して、耳折れ幅Ｂｙ＝１３２．１ｍｍ、Ｂｘ＝１１５．６ｍｍを算出する。
【００６２】
Ｓ１３：耳折れ幅Ｂを算出した制御部５は、原稿サイズ鑑別部４８によって、耳折れ幅Ｂの当該候補サイズのサイズ規格値Ｐに対する割合が、記憶部６の所定の鑑別閾値（本実施例では５０％）以上であることによって当該候補サイズを除外する、候補サイズの絞込みを行う。
【００６３】
すなわち、原稿サイズ鑑別部４８は、「Ａ５縦置き」の場合は、耳折れ幅Ｂｙ＝４５．１ｍｍ、Ｂｘ＝３９．５ｍｍ、サイズ規格値Ｐｙ＝２１０ｍｍ、Ｐｘ＝１４８ｍｍであり、主走査方向の割合が２１．５％、副走査方向の割合が２６．７％であって、それぞれ鑑別閾値未満であるので、耳折れは小さいと判定して候補サイズの１つと鑑別する。
【００６４】
「Ｂ５縦置き」の場合は、耳折れ幅Ｂｙ＝９２．１ｍｍ、Ｂｘ＝８０．６ｍｍ、サイズ規格値Ｐｙ＝２５７ｍｍ、Ｐｘ＝１８２ｍｍであり、主走査方向の割合が３５．８％、副走査方向の割合が４４．３％であって、それぞれ鑑別閾値未満であるので、耳折れは小さいと判定して候補サイズの１つと鑑別する。
【００６５】
「Ａ４縦置き」の場合は、耳折れ幅Ｂｙ＝１３２．１ｍｍ、Ｂｘ＝１１５．６ｍｍ、サイズ規格値Ｐｙ＝２９７ｍｍ、Ｐｘ＝２１０ｍｍであり、主走査方向の割合が４４．５％、副走査方向の割合が５５．０％であって、主走査方向は鑑別閾値未満であるが、副走査方向は鑑別閾値以上であるので、耳折れは大きいと判定して候補サイズから除外する。
これにより、候補サイズは「Ａ５縦置き」「Ｂ５縦置き」の２つに絞込まれる。
【００６６】
Ｓ１４：候補サイズを絞込んだ制御部５は、絞込んだ候補サイズが１つの場合はステップＳ１５へ移行する。絞込んだ候補サイズが複数の場合はステップＳ１６へ移行する。
【００６７】
Ｓ１５：絞込んだ候補サイズが１つであると認識した制御部５は、１つに絞込んだ候補サイズを原稿サイズと判定して今回の原稿サイズ判定処理を終了させ、ステップＳ１へ戻って開閉センサ１３からの出力信号が開信号に変化するのを待って待機する。
【００６８】
Ｓ１６：絞込んだ候補サイズが複数と認識した制御部５は、優先度付与部５２によって、複数の候補サイズの、主走査方向の耳折れ幅Ｂｙの長さを比較し、耳折れ幅Ｂｙの小さい順に各候補サイズに優先度を付与する。
図９の例では、「Ａ５縦置き」を高位として「Ａ５縦置き」「Ｂ５縦置き」の順に優先度が付与される。
【００６９】
Ｓ１７：各候補サイズに優先度を付与した制御部５は、表示部７ａの表示画面に図１１に示す候補サイズ選択画面を表示する。
候補サイズ選択画面には、原稿に耳折れが生じている可能性を報知する旨の文言、利用者による視認を容易にするために優先度の高い順に上から表示した候補サイズの選択ボタン、選択終了を指示するための「ＯＫ」ボタン、処理の取止めを指示するための「キャンセル」ボタン等が表示される。
【００７０】
利用者は、表示された候補サイズ選択画面から表示部７ａの入力手段によって載置した原稿Ｇの原稿サイズ、例えば「Ａ５タテ」の選択ボタンを押下した後に「ＯＫ」ボタンを押下する。
【００７１】
Ｓ１８：候補サイズ選択画面の表示後に、利用者による候補サイズの選択を待って待機していた制御部５は、「ＯＫ」ボタンが押下されたときに選択された候補サイズを認識し、選択された候補サイズを原稿サイズと判定して今回の原稿サイズ判定処理を終了させ、ステップＳ１へ戻って開閉センサ１３からの出力信号が開信号に変化するのを待って待機する。
【００７２】
このようにして、本実施例のスキャナ装置２による原稿サイズ判定処理の処理動作が実行される。
この原稿サイズ判定処理後に、制御部５は、判定した原稿サイズを基に原稿Ｇの全体画像を読取り、その画像データを印刷部３へ送出する。
【００７３】
この場合に、画像読取センサ２４の副走査方向の移動範囲は、判定した原稿サイズの副走査方向の長さに合わせて設定され、画像データを生成するときは、判定した原稿サイズの範囲を画像データとして生成する。
これにより、全てをＡ３サイズで読取る場合に比べて、原稿Ｇの読取動作や、画像データの生成処理、画像データの一時保存における時間が短縮され、画像読取処理の効率化を図ることができる。
【００７４】
上記のように、本実施例では、耳折れ幅の大小によって、原稿Ｇの候補サイズとなり得るか否かを鑑別するときの所定の鑑別閾値を、５０％としても、副走査端候補抽出部４７で抽出された候補サイズの候補数を、抽出された候補数より少ない数に絞込むことができる。
なお、原稿Ｇの耳折れは、通常、複数の原稿Ｇの右上隅等をステープラ等で綴じた書類のいずれかのページを開いて原稿台１１に載置した場合に生ずることが多いと想定されるため、鑑別閾値を２０％に設定してもよく、２０〜５０％の範囲の間のいずれか１つに設定するようにしてもよい。
【００７５】
以上説明したように、本実施例では、原稿Ｇに耳折れが存在すると判定した場合に、主走査端の座標位置から耳折れ部の傾斜角を算出し、主走査端の座標位置と傾斜角を基に候補サイズを絞込むので、耳折れが存在する場合であっても、原稿台１１に載置された原稿サイズを正しく判定することができる。
【００７６】
これにより、利用者の意図に反するサイズで原稿Ｇが読取られることが防止され、利用者が読取サイズを指定して再読取を行う手間を省くことができ、利用者の利便性を向上させることができる。
また、表示部７ａの表示画面に、ステップＳ１３で絞込んだ複数の候補サイズを表示するときは、優先度付与部５２で付与した優先度の高い順に候補サイズを表示するので、利用者は、優先度の高い候補サイズを容易に選択することができる。
【００７７】
なお、上記実施例においては、ステップＳ６において、主走査端が、初期読取領域で副走査方向と平行に伸張しているか、初期読取領域で傾斜しているかによって、その後の処理動作を分岐させるとして説明したが、初期読取領域に角部が存在している場合は、その副走査方向と平行な部分を主走査端と見做して、ステップＳ７へ移行するようにしてもよい。
また、上記実施例においては、開閉センサ１３は、自動読取部８ａの開口部側に１つ設けるとして説明したが、自動読取部８ａの奥側のヒンジ１２の近傍に同様の開閉センサを設け、２つの開閉センサで原稿台１１の開閉を検出するようにしてもよい。
【００７８】
このようにすれば、奥側の開閉センサの出力信号が閉信号に変化したときに、ステップＳ２における画像読取センサ２４の移動を開始することができ、画像読取センサ２４の移動開始時期を早めて画像読取処理の効率化を図ることができる。
更に、上記実施例においては、画像読取センサ２４の光源３６はロッドレンズ３７の片側に配置するとして説明したが、ロッドレンズ３７を挟んで両側に配置するようにしてもよい。
【００７９】
更に、上記実施例においては、光源３６には導光体３９を設けるとして説明したが、導光体３９を省略し、赤色発光部３８ｒ、緑色発光部３８ｇ、青色発光部３８ｂとして説明したそれぞれのＬＥＤを、主走査方向に複数１列に並べて各色の発光部３８を構成するようにしてもよい。
更に、上記実施例においては、画像読取装置は、画像形成装置としての複合機１に設けられたスキャナ装置２であるとして説明したが、画像形成装置としてのファクシミリ装置、コピー機等の設けられたスキャナ装置や、単独のスキャナ装置に本発明を適用しても、上記と同様の効果を得ることができる。
【符号の説明】
【００８０】
Ｂ    耳折れ幅
Ｇ    原稿
Ｐ    サイズ規格値
１    複合機
２    スキャナ装置
３    印刷部
５    制御部
６    記憶部
７    操作部
７ａ  表示部
８    画像読取部
８ａ  自動読取部
８ｂ  原稿台読取部
９    原稿セット部
１１  原稿台
１２  ヒンジ
１３  開閉センサ
１４  給紙ローラ
１５  搬送ローラ
１６  原稿押圧部
１６ａ  バネ部材
１６ｂ  コンタクトガラス
１７  原稿検出センサ
１８  読取位置センサ
１９  搬送モータ
２１  排紙ローラ
２２  原稿排紙部
２４  画像読取センサ
２４ａ  読取ライン
２５  原稿台ガラス
２６  センサベルト
２６ａ  駆動プーリ
２６ｂ  従動プーリ
２７  ベルトモータ
２８  原位置センサ
２９  白色基準板
３１  第１副走査センサ
３２  第２副走査センサ
３３  原稿押圧板
３４  白色シート
３６  光源
３７  ロッドレンズ
３８ｂ  青色発光部
３８ｇ  緑色発光部
３８ｒ  赤色発光部
３９  導光体
４１  載置基準
４２  縦目盛
４３  横目盛
４５  画像処理部
４６  主走査端検出部
４７  副走査端候補抽出部
４８  原稿サイズ鑑別部
４９  角度算出部
５１  耳折れ幅算出部
５２  優先度付与部
【図１】
2019041144.tif 000003
【図２】
2019041144.tif 000004
【図３】
2019041144.tif 000005
【図４】
2019041144.tif 000006
【図５】
2019041144.tif 000007
【図６】
2019041144.tif 000008
【図７】
2019041144.tif 000009
【図８】
2019041144.tif 000010
【図９】
2019041144.tif 000011
【図１０】
2019041144.tif 000012
【図１１】
2019041144.tif 000013